(57)【要約】      （修正有）【課題】配線をシンプルにできる回路基板を収容可能な玩具電動ガンハンドルのブラシレスモーター構造を提供する。【解決手段】玩具電動ガンハンドルのブラシレスモーター構造において、電動ガンのハンドル内部は楕円形を呈し、相互に対応する２個の並行辺により構成される短軸空間と相互に対応する２個の弧状辺により構成される長軸空間により形成される収容室を有し、収容室内にはブラシレスモーター２０を設置する。ブラシレスモーター２０外殼の左、右側にはそれぞれ密着面２０１を設置し、その前、後側にはそれぞれ平面２０２を設置し、密着面２０１は収容室の短軸空間両側にそれぞれ密着し、平面２０２と収容室の長軸空間とはそれぞれ収容設置空間を形成し、収容設置空間にはブラシレスモーター２０に連結する回路基板２１を収容する。上述の構造により、ブラシレスモーター２０及びその回路基板２１は、ハンドルに完全に収容され配線をシンプルにする。【選択図】図５
0003207874.tif 000002
【実用新案登録請求の範囲】
【請求項１】
回路基板を収容可能な玩具電動ガンハンドルのブラシレスモーター構造であって、電動ガンのハンドル内部は、楕円形を呈し、相互に対応する２個の並行辺により構成される短軸空間と相互に対応する２個の弧状辺により構成される長軸空間により形成される収容室を有し、前記収容室内には、ブラシレスモーターを設置し、
前記ブラシレスモーター外殼の左、右方向には、それぞれ密着面を形成し、その前、後方向には、少なくとも１個の平面を形成し、
前記密着面は、収容室の短軸空間両側にそれぞれ密着し、前記平面と収容室の長軸空間とは、収容設置空間を形成し、その内の一つの収容設置空間には、前記ブラシレスモーターに連結する回路基板を設置し、
上述の構造により、ブラシレスモーター、回路基板は完全にハンドルに収容され、配線をシンプルにする効果を達成できることを特徴とする回路基板を収容可能な玩具電動ガンハンドルのブラシレスモーター構造。
【請求項２】
前記もう一つの収容設置空間には、前記ブラシレスモーターに連結するもう一つの回路基板を設置することを特徴とする請求項１に記載の、回路基板を収容可能な玩具電動ガンハンドルのブラシレスモーター構造。
【請求項３】
前記平面上四隅には、ネジ孔台をそれぞれ設置し、前記回路基板四隅には、前記ネジ孔台に対応する螺合孔をそれぞれ設置し、
ネジを用いて前記回路基板を前記平面上に螺合することを特徴とする請求項１或いは２に記載の、回路基板を収容可能な玩具電動ガンハンドルのブラシレスモーター構造。
【考案の詳細な説明】
【技術分野】
【０００１】
本考案は回路基板を収容可能な玩具電動ガンハンドルのブラシレスモーター構造に関し、特にブラシレスモーター外殼を平面に形成し、回路基板を設置できる回路基板を収容可能な玩具電動ガンハンドルのブラシレスモーター構造に関する。
【背景技術】
【０００２】
サバイバルゲームは多くの人が楽しんでいる娯楽である。
サバイバルゲームでは、玩具ガンを手に持ち、野戦状況を真似ることができる。
その際に使用される玩具ガンは通常は、ソフトエアガン、ガスガン、電動ガンに分類され、これによりプレイヤーはＢＢ弾或いはペイントボールを発射できる。
【０００３】
従来の電動ガンの構造は、図１〜図４に示す通り、ガンボディ１０、ハンドル１１、ガンホルダー１２、弾ケース１３を有する。
ガンボディ１０中には、ギアセット１４を有する。
ハンドル１１には、収容室１１１を設置し、ブラシレスモーター１５を収容し、しかもギアセット１４に連結する。
ブラシレスモーター１５底部には、回路基板１６を設置し、回路基板１６とブラシレスモーター１５とは一体に結合し、ブラシレスモーター１５の運転を制御し、さらに保護蓋１７を設置し、回路基板１６を覆う。
ガンホルダー１２中には、パワーサプライモジュール１８を設置し、ブラシレスモーター１５、回路基板１６に給電し、ブラシレスモーター１５は、ギアセット１４を駆動する。
電動ガン内部には、ピストン管１９構造を有し、ピストン運動を行う。
ピストン管１９底部には、ラック１９１を有し、しかも一端は、ピストンバネに接触する。
しかも、ギアセット１４は、有、無歯部のギアを有し、ラック１９１上に噛み合う。
ギアセット１４の有歯部は、ピストン管１９を連動し、ガンボディ１０後端へと移動させ、ピストンバネを圧縮する。
また、ギアセット１４が無歯部まで回転すると、ラック１９１はギアセット１４の噛み合い連動を離脱し、ピストン管１９は、ピストンバネを利用し、瞬間的に前へと押され、空気を圧縮して前へと押し出す。
これにより、電動ガンは空気を利用して、弾ケース１３のＢＢ弾或いはペイントボールを発射することができる。
【０００４】
しかし、上記構造には以下のような問題がある。
ハンドル１１は、両側が扁平状のハンドルであり、内部には長軸、短軸空間を有する収容室１１１を形成する。
ブラシレスモーター１５外殼の形状は左、右側にそれぞれ密着面１５１を形成し、その前、後側にはそれぞれ弧形面１５２を形成する。
ブラシレスモーター１５を収容室１１１に収容する際には、密着面１５１は収容室１１１の短軸空間左、右側にそれぞれ密着し、補助定位の効果を備える。
弧形面１５２は、収容室１１１の長軸空間前、後側にそれぞれ突出し（図４参照）、ブラシレスモーター１５は飽満状を呈して、収容室１１１中に収容される。
しかし、ブラシレスモーター１５は、ピストン管１９を連動し、ピストンバネを圧縮する必要があるため、ブラシレスモーター１５は一定のサイズ規格以上でなければ、必要な出力を達成し、回転速度とトルクの要求を満たすことはできない。
このため、ブラシレスモーター１５をハンドル１１に設置する際には、ブラシレスモーター１５後端に設置される回路基板１６、保護蓋１７が場所をとり、全体の長さが長くなりすぎ、体積が過大で、ハンドル１１外に露出するという問題があり（図１、図３参照）、組み立て上の困難を招いている。
【０００５】
回路基板１６はブラシレスモーター１５後端にあるため、ブラシレスモーター１５、回路基板１６、パワーサプライモジュール１８の配線距離が長く複雑、乱雑になり、配線が湾曲して電気抵抗が増し、発熱或いは断裂の問題が発生してしまう。
そのため、実用的とは言えない。
【考案の概要】
【考案が解決しようとする課題】
【０００６】
前記先行技術には、回路基板がブラシレスモーター後端にあるため、ブラシレスモーター、回路基板、パワーサプライモジュールの配線距離が長く複雑、乱雑になり、配線が湾曲して電気抵抗が増し、発熱或いは断裂の問題が発生してしまうため、実用的とは言えないという欠点がある。
【課題を解決するための手段】
【０００７】
本考案はブラシレスモーター外殼形状の前、後端を平面とし、これにより平面と収容室の長軸空間に収容設置空間を形成し、ブラシレスモーターの任意の平面上に回路基板を設置でき、収容設置空間中に収容できるようにし、こうしてブラシレスモーター及びその回路基板はハンドルの収容室に完全に収容され、ブラシレスモーターの全体体積を減らし、配線をシンプルにする効果を達成する回路基板を収容可能な玩具電動ガンハンドルのブラシレスモーター構造に関する。
【０００８】
本考案による回路基板を収容可能な玩具電動ガンハンドルのブラシレスモーター構造は、電動ガンのハンドル内部は、楕円形を呈し、相互に対応する２個の並行辺により構成される短軸空間と相互に対応する２個の弧状辺により構成される長軸空間により形成される収容室を有し、該収容室内には、ブラシレスモーターを設置する。
該ブラシレスモーター外殼の左、右方向に、それぞれ密着面を設置し、その前、後方向には、少なくとも１個の平面を形成し、該密着面は、収容室の短軸空間両側にそれぞれ密着し、該平面と収容室の長軸空間とは、収容設置空間を形成し、その内の一つの収容設置空間には、該ブラシレスモーターに連結する回路基板を設置する。
【０００９】
本考案一実施形態において、該もう一つの収容設置空間には、該ブラシレスモーターに連結するもう一つの回路基板を設置する。
【００１０】
本考案一実施形態において、該平面上四隅には、ネジ孔台をそれぞれ設置し、該回路基板四隅には、該ネジ孔台に対応する螺合孔をそれぞれ設置し、ネジを用いて回路基板を該平面上に螺合する。
【００１１】
本考案の構造により、ブラシレスモーター及びその回路基板は、ハンドルに完全に収容され、配線をシンプルにする効果を達成できる。
【図面の簡単な説明】
【００１２】
【図１】従来の電動ガンの局部側視断面図である。
【図２】従来構造の立体分解図である。
【図３】従来構造の組合せ立体図である。
【図４】従来のハンドルの俯視断面図である。
【図５】本考案の立体分解図である。
【図６】本考案の組合せ立体図である。
【図７】本考案ハンドルの俯視断面図である。
【図８】本考案の電動ガンの局部側視断面図である。
【図９】本考案にもう一つの回路基板を設置した様子を示す立体分解図である。
【図１０】本考案にもう一つの回路基板を設置した様子を示す俯視断面図である。
【考案を実施するための形態】
【００１３】
（一実施形態）
図５〜図８に示す通り、電動ガンのハンドル１１内部は長軸、短軸空間を有する収容室１１１で、収容室１１１には、ブラシレスモーター２０を設置する。
ブラシレスモーター２０外殼の左、右方向には、それぞれ密着面２０１を設置し、その前、後側方向には、それぞれ平面２０２を設置する。
ブラシレスモーター２０の密着面２０１は、収容室１１１の短軸空間両側にそれぞれ密着する。
ブラシレスモーター２０の平面２０２と収容室１１１の長軸には、それぞれ収容設置空間Ａを形成する。
収容設置空間Ａには、ブラシレスモーター２０に連結される回路基板２１を設置する。
上述の構造により、ブラシレスモーター及びその回路基板は、ハンドルに完全に収容される。
【００１４】
図５〜図８に示す通り、本考案の回路基板２１は、収容設置空間Ａ内に固定する必要がなく、螺合、粘着接合及び嵌合方式で、ブラシレスモーターの平面２０２上に固定することができ、これにより回路基板２１を収容設置空間Ａ中に収容する。
螺合の方式を例とする（これに限定されない）と、ブラシレスモーター２０の平面２０２は、回路基板２１に対応する。
平面２０２上の四隅には、それぞれネジ孔台２０３を設置する。
回路基板２１の四隅には、ネジ孔台２０３に対応する螺合孔２１１をそれぞれ設置し、ネジ２２を用いて、回路基板２１を、平面２０２上に螺合する。
しかも、回路基板２１と平面２０２とは、間隙を有し、これにより回路基板２１は、良好な散熱性、絶縁性を備える。
回路基板２１は、ブラシレスモーター２０の殼体側辺に配置され、底部に設置されるのではないため、回路基板２１のブラシレスモーター２０、パワーサプライモジュール１８につながる配線は相対的に簡単で、配線距離も非常に短く、折れ曲がり、発熱し難く、或いは断裂の状況は発生しにくい。
【００１５】
図９、図１０に示す通り、本考案ブラシレスモーター２０のもう一つの平面２０２には、もう一つの回路基板３０を設置でき、もう一つの収容設置空間Ａに収容される。
こうして、回路基板２１の長さ、体積を減らせ、或いはこれによりブラシレスモーター２０はより多くの機能を備えたコントロール回路基板の効果を備える。
【００１６】
前述した本考案の実施形態は本考案を限定するものではなく、よって、本考案により保護される範囲は後述される実用新案登録請求の範囲を基準とする。
【符号の説明】
【００１７】
１０    ガンボディ、
１１    ハンドル、
１１１  収容室、
１２    ガンホルダー、
１３    弾ケース、
１４    ギアセット、
１５    ブラシレスモーター、                                              
１５１  密着面、
１５２  弧形面、
１６    回路基板、
１７    保護蓋、
１８    パワーサプライモジュール、
１９    ピストン管、
１９１  ラック、
２０    ブラシレスモーター、
２０１  密着面、
２０２  平面、
２０３  ネジ孔台、
２１    回路基板、
２１１  螺合孔、
２２    ネジ、
３０    回路基板、
Ａ      収容設置空間。
【図１】
0003207874.tif 000003
【図２】
0003207874.tif 000004
【図３】
0003207874.tif 000005
【図４】
0003207874.tif 000006
【図５】
0003207874.tif 000007
【図６】
0003207874.tif 000008
【図７】
0003207874.tif 000009
【図８】
0003207874.tif 000010
【図９】
0003207874.tif 000011
【図１０】
0003207874.tif 000012